(57)【特許請求の範囲】
【請求項１】
第１広告主によって利用される広告設備から所定の範囲内に所在するユーザのユーザ属性を取得する取得部と、
前記ユーザ属性が前記第１広告主の広告配信条件を満たす場合に、前記第１広告主の広告情報を出力対象として決定し、前記ユーザ属性が前記第１広告主の広告配信条件を満たさず、かつ、前記広告設備の共有を希望する第２広告主による前記広告設備の共有を前記第１広告主が許可する場合に、前記第１広告主の広告配信条件と、前記第２広告主の広告配信条件とを比較し、前記第２広告主の広告配信条件に含まれる配信ターゲットが、前記第１広告主の広告配信条件に含まれる配信ターゲットと重複しない場合に、前記第２広告主の広告情報を出力対象の広告情報を決定する決定部と、
前記決定部により決定された広告情報を音波として出力するよう前記広告設備に指示する指示部と、
を備えたことを特徴とする広告制御装置。
【請求項２】
第１広告主の広告情報を表示し続ける第１の手段と、前記第１広告主の広告情報および第２広告主の広告情報を出力する第２の手段とを有する広告設備に対して広告情報の出力制御を行う広告制御装置であって、
前記第１広告主の広告配信条件と、前記第１広告主によって利用される前記広告設備の共有を希望する第２広告主の広告配信条件とに基づいて、前記第２の手段から出力させる出力対象の広告情報を決定する決定部と、
前記決定部により決定された広告情報を音波として前記第２の手段から出力するよう前記広告設備に指示する指示部と、
を備えたことを特徴とする広告制御装置。
【請求項３】
前記指示部は、前記音波として可聴な音声を出力するよう指示する、
ことを特徴とする請求項１又は２に記載の広告制御装置。
【請求項４】
前記指示部は、前記音波として、前記決定部により決定された広告情報に関する情報を含む非可聴な音響信号を出力するよう指示する、
ことを特徴とする請求項１又は２に記載の広告制御装置。
【請求項５】
前記決定部は、前記第１広告主の広告配信条件を満たす場合に、前記第１広告主の広告情報を出力対象として決定し、前記第１広告主の広告配信条件を満たさず、かつ、前記第１広告主が前記第２広告主による前記広告設備の共有を許可する場合に、前記第２広告主の広告配信条件を満たすか否か判定する、
ことを特徴とする請求項１〜４の何れか１つに記載の広告制御装置。
【請求項６】
前記広告設備から所定の範囲内に所在するユーザのユーザ属性を取得する取得部をさらに備え、
前記決定部は、前記ユーザ属性が前記第１広告主の広告配信条件を満たす場合に、前記第１広告主の広告情報を出力対象として決定し、前記ユーザ属性が前記第１広告主の広告配信条件を満たさない場合に、前記ユーザ属性を満たす広告配信条件に対応する前記第２広告主の広告情報を出力対象として決定する、
ことを特徴とする請求項５に記載の広告制御装置。
【請求項７】
前記決定部は、前記ユーザ属性が前記第１広告主の広告配信条件を満たさない場合に、前記第１広告主の広告配信条件と、前記第２広告主の広告配信条件とを比較し、前記第２広告主の広告配信条件に含まれる配信ターゲットが、前記第１広告主の広告配信条件に含まれる配信ターゲットと重複しない場合に、前記第２広告主の広告情報を出力対象として決定する、
ことを特徴とする請求項６に記載の広告制御装置。
【請求項８】
前記決定部は、前記広告設備によって広告情報が出力される出力日時が前記第１広告主の広告配信条件に含まれる配信期間に該当する場合に、前記第１広告主の広告情報を出力対象として決定し、前記出力日時が前記第１広告主の広告配信条件に含まれる配信期間に該当しない場合に、前記出力日時に該当する広告配信条件に対応する前記第２広告主の広告情報を出力対象として決定する、
ことを特徴とする請求項１又は５〜７の何れか１つに記載の広告制御装置。
【請求項９】
前記決定部は、前記第１広告主が前記第２広告主による前記広告設備への相乗りを許可し、かつ、前記広告設備から所定の範囲内に所在するユーザのユーザ属性が前記第１広告主の広告配信条件及び前記第２広告主の広告配信条件を満たす場合に、前記第１広告主の広告情報と前記第２広告主の広告情報との双方を出力対象として決定する、
ことを特徴とする請求項１又は５〜８の何れか１つに記載の広告制御装置。
【請求項１０】
前記第２広告主の広告配信条件と重複しない前記第１広告主に対応する条件を前記第２広告主に提示し、当該第２広告主から前記広告配信条件と広告情報とを含む入札情報を受け付ける受付部、
をさらに備えたことを特徴とする請求項１〜９の何れか１つに記載の広告制御装置。
【請求項１１】
コンピュータが実行する広告制御方法であって、
第１広告主によって利用される広告設備から所定の範囲内に所在するユーザのユーザ属性を取得する取得工程と、
前記ユーザ属性が前記第１広告主の広告配信条件を満たす場合に、前記第１広告主の広告情報を出力対象として決定し、前記ユーザ属性が前記第１広告主の広告配信条件を満たさず、かつ、前記広告設備の共有を希望する第２広告主による前記広告設備の共有を前記第１広告主が許可する場合に、前記第１広告主の広告配信条件と、前記第２広告主の広告配信条件とを比較し、前記第２広告主の広告配信条件に含まれる配信ターゲットが、前記第１広告主の広告配信条件に含まれる配信ターゲットと重複しない場合に、前記第２広告主の広告情報を出力対象の広告情報を決定する決定工程と、
前記決定工程により決定された広告情報を音波として出力するよう前記広告設備に指示する指示工程と、
を含むことを特徴とする広告制御方法。
【請求項１２】
第１広告主の広告情報を表示し続ける第１の手段と、前記第１広告主の広告情報および第２広告主の広告情報を出力する第２の手段とを有する広告設備に対して広告情報を出力する出力制御を行うコンピュータによって実行される広告制御方法であって、
前記第１広告主の広告配信条件と、前記第１広告主によって利用される前記広告設備の共有を希望する第２広告主の広告配信条件とに基づいて、前記第２の手段から出力させる出力対象の広告情報を決定する決定工程と、
前記決定工程により決定された広告情報を音波として前記第２の手段から出力するよう前記広告設備に指示する指示工程と、
を含むことを特徴とする広告制御方法。
【請求項１３】
広告制御装置とユーザ端末とを含む広告制御システムであって、
前記広告制御装置は、
第１広告主によって利用される広告設備から所定の範囲内に所在するユーザのユーザ属性を取得する取得部と、
前記ユーザ属性が前記第１広告主の広告配信条件を満たす場合に、前記第１広告主の広告情報を出力対象として決定し、前記ユーザ属性が前記第１広告主の広告配信条件を満たさず、かつ、前記広告設備の共有を希望する第２広告主による前記広告設備の共有を前記第１広告主が許可する場合に、前記第１広告主の広告配信条件と、前記第２広告主の広告配信条件とを比較し、前記第２広告主の広告配信条件に含まれる配信ターゲットが、前記第１広告主の広告配信条件に含まれる配信ターゲットと重複しない場合に、前記第２広告主の広告情報を出力対象の広告情報を決定する決定部と、
前記決定部により決定された広告情報を音波として出力するよう前記広告設備に指示する指示部とを備え
前記ユーザ端末は、
前記広告設備から出力された前記広告情報を受信する受信部
を備えたことを特徴とする広告配信システム。
【請求項１４】
広告制御装置とユーザ端末とを含む広告制御システムであって、
第１広告主の広告情報を表示し続ける第１の手段と、前記第１広告主の広告情報および第２広告主の広告情報を出力する第２の手段とを有する広告設備に対して広告情報の出力制御を行う前記広告制御装置は、
前記第１広告主の広告配信条件と、前記第１広告主によって利用される前記広告設備の共有を希望する第２広告主の広告配信条件とに基づいて、前記第２の手段から出力させる出力対象の広告情報を決定する決定部と、
前記決定部により決定された広告情報を音波として前記第２の手段から出力するよう前記広告設備に指示する指示部とを備え
前記ユーザ端末は、
前記広告設備から出力された前記広告情報を受信する受信部
を備えたことを特徴とする広告配信システム。
【発明の詳細な説明】
【技術分野】
【０００１】
本発明は、広告制御装置、広告制御方法及び広告制御システムに関する。
【背景技術】
【０００２】
従来、利用者が聞こえない周波数の音波等を用いて、情報の送受信を行う音響信号の技術が知られている。例えば、看板等の広告媒体にスピーカーを設置して音響信号を出力し、音響信号を受信した端末に広告と関連する情報や広告の情報をプッシュ通知する技術が知られている。
【先行技術文献】
【特許文献】
【０００３】
【特許文献１】特開２０１３−０９７６０３号公報
【特許文献２】特開２００１−３２０３３７号公報
【発明の概要】
【発明が解決しようとする課題】
【０００４】
しかしながら、上記の従来技術では、広告媒体としての利用効率が良いとは限らない。例えば、上記の従来技術では、広告に設置されたスピーカーは、広告媒体に掲載されている広告の内容に関連する広告情報しか出力しない上に、出力する時間帯が限られている場合もあるため、広告媒体としての利用効率が良いとは限らない。
【０００５】
本願は、上記に鑑みてなされたものであって、広告媒体の利用効率を向上させることができる広告制御装置、広告制御方法及び広告制御システムを提供することを目的とする。
【課題を解決するための手段】
【０００６】
本願にかかる広告制御装置は、第１広告主の広告配信条件と、前記第１広告主によって利用される広告設備の共有を希望する第２広告主の広告配信条件とに基づいて、出力対象の広告情報を決定する決定部と、前記決定部により決定された広告情報を音波として出力するよう前記広告設備に指示する指示部と、を備えたことを特徴とする広告制御装置。
【発明の効果】
【０００７】
実施形態の一態様によれば、広告媒体の利用効率を向上させることができる効果を奏する。
【図面の簡単な説明】
【０００８】
【図１】図１は、実施形態にかかる広告制御処理の一例を示す図である。
【図２】図２は、実施形態にかかる広告制御装置の構成例を示す図である。
【図３】図３は、実施形態にかかるユーザ情報記憶部の一例を示す図である。
【図４】図４は、実施形態にかかる第１広告情報記憶部の一例を示す図である。
【図５】図５は、実施形態にかかる第２広告情報記憶部の一例を示す図である。
【図６】図６は、実施形態にかかる広告制御装置による広告制御処理手順を示すフローチャートである。
【図７】図７は、変形例にかかる音響信号によるプッシュ通知の一例を示す図である。
【図８】図８は、変形例にかかるユーザ端末の構成例を示す図である。
【図９】図９は、変形例にかかる第１広告配信条件と第２広告配信条件とのマッチングの一例を示す図である。
【図１０】図１０は、広告制御装置の機能を実現するコンピュータの一例を示すハードウェア構成図である。
【発明を実施するための形態】
【０００９】
以下に、本願にかかる広告制御装置、広告制御方法及び広告制御システムを実施するための形態（以下、「実施形態」と呼ぶ）について図面を参照しつつ詳細に説明する。なお、この実施形態により本願にかかる広告制御装置、広告制御方法及び広告制御システムが限定されるものではない。また、以下の各実施形態において同一の部位には同一の符号を付し、重複する説明は省略される。
【００１０】
〔１．広告制御処理〕
まず、図１を用いて、実施形態にかかる広告制御処理の一例について説明する。図１は、実施形態にかかる広告制御処理の一例を示す図である。図１では、広告制御システム１によって広告制御処理が行われる。
【００１１】
図１に示すように、広告制御システム１は、ユーザ端末１０と、第１広告主端末５０と、第２広告主端末５１と、広告制御装置１００と、広告設備Ａ１０と、を含む。ユーザ端末１０と、第１広告主端末５０と、第２広告主端末５１と、広告制御装置１００と、広告設備Ａ１０とは、ネットワークを介して有線又は無線により通信可能に接続される。なお、図１に示す広告制御システム１には、複数台のユーザ端末１０、第１広告主端末５０及び第２広告主端末５１が含まれてよい。
【００１２】
ユーザ端末１０は、ユーザによって利用される端末装置である。例えば、ユーザ端末１０は、スマートフォンなどの携帯電話機や、タブレット端末や、ＰＤＡ（Personal  Digital  Assistant）や、デスクトップ型ＰＣ（Personal  Computer）や、ノート型ＰＣ等である。
【００１３】
広告設備Ａ１０は、各種広告媒体である。例えば、広告設備Ａ１０は、パネル式看板、デジタルサイネージ等であり、所定の場所に設置される固定式であってもよいし、キャリーバック、四足歩行ロボット、トレーラ、飛行船等の移動物体に搭載されることによる移動式であってもよい。なお、以下に示す実施形態では、広告設備Ａ１０は、パネル式看板であるものとする。また、広告設備Ａ１０には、発音装置としてスピーカーＬ１２が搭載されているスピーカーＬ１２は、広告設備Ａ１０に掲載されている広告内容に関連する音声を出力する。また、広告設備Ａ１０には、発音装置としてスピーカーＬ１２が搭載されている。スピーカーＬ１２は、広告設備Ａ１０に掲載されている広告コンテンツＣ１１に関連する音声を出力する。
【００１４】
第１広告主端末５０は、第１広告主によって利用される端末装置である。第２広告主端末５１は、第２広告主によって利用される端末装置である。第１広告主端末５０及び第２広告主端末５１は、例えば、スマートフォンなどの携帯電話機や、タブレット端末や、ＰＤＡや、デスクトップ型ＰＣや、ノート型ＰＣ等である。なお。以下に示す実施形態では、第１広告主が広告設備Ａ１０を利用しているものとする。すなわち、広告コンテンツＣ１１は、第１広告主に関する広告である。
【００１５】
ここで、上述した広告設備Ａ１０のスピーカーＬ１２が音声を出力する時間帯や、スピーカーＬ１２が出力する音声の種類は、予め決められている場合がある。この場合、スピーカーＬ１２が音声を出力していない時間帯が存在すること等から、広告設備Ａ１０自体が必ずしも効率的に利用されているとはいえない場合がある。そこで、実施形態にかかる広告制御装置１００は、第１広告主がスピーカーＬ１２の共有を許可している場合には、第１広告主の広告をスピーカーＬ１２に出力させていない空き時間に、第２広告主の広告をスピーカーＬ１２に出力させる。この点について、図１を用いて説明する。
【００１６】
図１では、第１広告主は、広告設備Ａ１０への広告コンテンツＣ１１の掲載を希望する場合に、第１広告主端末５０を用いて、第１広告情報として広告配信条件や広告データを広告制御装置１００へ送信し、また、第２広告主は、第１広告主によって利用される広告設備Ａ１０の共有を希望する場合に、第２広告主端末５１を用いて、第２広告情報として広告配信条件や広告データを広告制御装置１００へ送信しているものとする。
【００１７】
具体的には、第１広告主であるＡ不動産が第１広告配信条件として「配信期間：５月１日〜５月３１日（全時間）、配信ターゲット：男性、共有フラグ：許可」を、第１広告データとして「お部屋探しならＡ不動産」といった画像データ及び音声データを送信し、第２広告主であるＢ百貨店が第２広告配信条件として「配信期間：５月１日〜５月３１日（全時間）、配信ターゲット：女性」を、第２広告データとして「Ｂ百貨店にて半額セール中」といった音声データ送信しているものとする。
【００１８】
配信期間は、スピーカーＬ１２に広告情報に関する音声を出力させる希望期間や日時である。配信ターゲットは、広告の対象となるユーザ属性である。共有フラグは、第２広告主によるスピーカーＬ１２の共有を許可するか否かを示すフラグである。例えば、第１広告主によって、共有フラグとして、許可があげられていればスピーカーＬ１２から第２広告主の広告情報に関する音声データも出力してよいことになる。
【００１９】
ここでは、取得したユーザ属性が各配信ターゲットを満たすか否かによって、スピーカーＬ１２による出力対象の広告情報を決定する例について説明する。そして、広告制御装置１００は、第１広告情報のみ受け付けている場合には、ステップＳ１１〜Ｓ１５の処理を行う。具体的には、広告制御装置１００は、各地のユーザ端末からＧＰＳによる位置情報とユーザＩＤを取得することで（ステップＳ１１）、広告設備Ａ１０から所定の範囲内であるエリアＥ０１内に所在するユーザのユーザ属性を取得する（ステップＳ１２）。
【００２０】
例えば、エリアＥ０１内にはユーザＵ０１しか所在しておらず、広告制御装置１００は、５月１日の所定の時間にユーザＵ０１のユーザ属性「男性」を取得したとする。ここで、広告制御装置１００は、ユーザ属性「男性」と、第１広告配信条件とのマッチングを行うことにより（ステップＳ１３）、ユーザ属性が、第１広告配信条件に含まれる配信ターゲットを満たすことから、第１広告主の広告情報を出力対象として決定する。
【００２１】
そして、広告制御装置１００は、スピーカーＬ１２に対して、かかる第１広告主の音声データを出力するよう指示する（ステップＳ１４）。具体的には、広告制御装置１００は、出力指示として、Ａ不動産の「お部屋探しならＡ不動産」といった音声データを、スピーカーＬ１２へ送信する。そして、スピーカーＬ１２は、かかる音声データを受信した場合に、その音声を出力する（ステップＳ１５）。
【００２２】
一方、広告制御装置１００は、第１広告情報に加えて、第２広告情報も受け付けている場合には、以下に示す処理に移行する場合がある。具体的には、広告制御装置１００は、ステップＳ１３でのマッチングにより、ユーザ属性が第１広告配信条件を満たさないと判定した場合には、ステップＳ１４以降を行わず、ステップＳ２１に移行する。
【００２３】
例えば、エリアＥ０１内にはユーザＵ０２しか所在しておらず、広告制御装置１００は、ステップ１２において、５月１日の所定の時間にユーザＵ０２のユーザ属性「女性」を取得したとする。ここで、広告制御装置１００は、ユーザ属性「女性」と、第１広告配信条件とのマッチングを行うと（ステップＳ１３）、第１広告配信条件に含まれる配信ターゲットは「男性」であるため、ユーザ属性「女性」が第１広告配信条件を満たさないと判定し、ステップ２１へ移行する。つまり、広告制御装置１００は、ユーザ属性「女性」と、第２広告配信条件とのマッチングを行う（ステップＳ２１）。この場合、広告制御装置１００は、ユーザ属性が、第２広告配信条件に含まれる配信ターゲットを満たすと判定し、さらに、第１広告主は、スピーカーＬ１２の共有を許可しているため、第２広告主の広告情報を出力対象として決定する。
【００２４】
また、広告制御装置１００は、以下の処理をさらに行ってもよい。具体的には、広告制御装置１００は、第１広告配信条件と、ステップＳ２１において満たす判定が下された第２広告配信条件とのマッチングを行うことによって、第２広告主の広告情報を出力対象とするか否かを決定する（ステップＳ２２）。ここでは、第１広告配信条件に含まれる配信ターゲットと、第２広告配信条件に含まれる配信ターゲットとが重複しているか否かを判定し、重複していない場合には、第２広告主の広告情報を出力対象として決定する例について説明する。
【００２５】
図１の例では、第１広告配信条件「配信期間：５月１日〜５月３１日（全時間）、配信ターゲット：男性、共有フラグ：許可」であり、第２広告配信条件「配信期間：５月１日〜５日３１日（全時間）、配信ターゲット：女性」である。ここで、配信ターゲットに着目すると、男性と女性で重複していない。また、現在日時が５月１５日だとすると、第１及び第２広告主の双方の広告情報が出力対象となるが、前述したように、このときエリアＥ０１には女性しか存在していないため、「配信ターゲット：女性」を設定している第２広告主の広告情報を出力対象として決定する。つまり、この例では、広告制御装置１００は、配信期間内において、重複していない配信ターゲットが満たされている第２広告主の広告情報を出力対象として決定する。
【００２６】
そして、広告制御装置１００は、スピーカーＬ１２に対して、かかる第２広告主の音声データを出力するよう指示する（ステップＳ２３）。具体的には、広告制御装置１００は、出力指示として、Ｂ百貨店の「Ｂ百貨店にて半額セール中」といった音声データを、スピーカーＬ１２へ送信する。そして、スピーカーＬ１２は、かかる音声データを受信した場合に、その音声を出力する（ステップＳ２４）。
【００２７】
このように、実施形態にかかる広告制御装置１００は、広告設備Ａ１０から所定の範囲内に所在するユーザのユーザ属性を取得する。そして、広告制御装置１００は、取得したユーザ属性と第１広告主の第１広告配信条件とのマッチングを行い、第１広告配信条件が満たされる場合には、かかる第１広告主の広告情報を出力対象として決定する。また、広告制御装置１００は、第１広告配信条件が満たされない場合には、取得したユーザ属性にと第２広告主の第２広告配信条件とのマッチングを行う。そして、広告制御装置１００は、第２広告配信条件が満たされる場合には、かかる第２広告主の広告情報を出力対象として決定する。これにより、広告制御装置１００は、第１広告主がスピーカーＬ１２の共有を許可していれば、スピーカーＬ１２から第１広告主の音声データを出力させていない場合に、第２広告主の音声データを出力させることができる。すなわち、広告制御装置１００は、スピーカーＬ１２に対して、出力を行っていない期間を減らすことができるため、広告設備Ａ１０の利用効率を高めることができる。また、広告制御装置１００によって第２広告主の広告情報が出力対象として決定された場合には、スピーカーＬ１２は、掲載している広告コンテンツＣ１１の内容とは異なる内容の音声データを出力することになり、同時に種類の異なる複数の広告をユーザに提供できるため、広告制御装置１００は、広告設備Ａ１０の利用効率を高めることができる。
【００２８】
〔２．広告制御装置の構成〕
次に、図２を用いて、実施形態にかかる広告制御装置１００について説明する。図２は、実施形態にかかる広告制御装置１００の構成例を示す図である。図２に示すように、広告制御装置１００は、通信部１１０と、記憶部１２０と、制御部１３０とを有する。
【００２９】
通信部１１０は、例えば、ＮＩＣ（Network  Interface  Card）等によって実現される。そして、通信部１１０は、ネットワークと有線又は無線で接続される。
【００３０】
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。図２に示すように、記憶部１２０は、ユーザ情報記憶部１２１と、第１広告情報記憶部１２２と、第２広告情報記憶部１２３とを有する。
【００３１】
ユーザ情報記憶部１２１は、ユーザ端末１０のユーザに関する各種情報を記憶する。ここで、図３に、実施形態にかかるユーザ情報記憶部１２１の一例を示す。図３に示した例では、ユーザ情報記憶部１２１は、「ユーザＩＤ」、「氏名」、「住所」、「年齢」、「性別」、「興味」といった項目を有する。
【００３２】
「ユーザＩＤ」は、ユーザ端末１０又はユーザ端末１０のユーザを識別するための識別情報を示す。「氏名」は、ユーザの氏名を示す。「住所」は、ユーザの住所を示す。「年齢」は、ユーザの年齢を示す。「性別」は、ユーザの性別を示す。
【００３３】
すなわち、図３では、例えば、ユーザＩＤ「Ｕ０１」によって識別される田中Ａ子は、「住所：東京都目黒区−−、年齢：３２、性別：女性、興味：Ａｌｌ」といったユーザ情報を自身のユーザ端末１０に登録していることを示す。
【００３４】
第１広告情報記憶部１２２は、広告情報として第１広告配信条件及び第１広告データを記憶する。ここで、図４に、実施形態にかかる第１広告情報記憶部１２２の一例を示す。図４に示した例では、第１広告情報記憶部１２２は、第１広告配信条件として、「広告主名／広告主ＩＤ」、「広告設備」、「配信期間」、「配信ターゲット」、「共有フラグ」、「相乗りフラグ」を、第１広告データとして、「デコードＮｏ」、「広告データ」といった項目を有する。
【００３５】
「広告主名／広告主ＩＤ」において、「広告主名」は、第１広告主の名称を示し、「広告主ＩＤ」は、第１広告主端末５０又は第１広告主端末５０の広告主を識別するための識別情報を示す。
【００３６】
「広告設備」において、「場所」は、第１広告主によって利用される広告設備Ａ１０が設置されている場所を示す。「形態」は、広告設備Ａ１０の種類を示し、例えば、パネル、トレーラ、飛行船等である。なお、場所は、広告設備Ａ１０がパネルのような固定式であるならば、住所で示されてもよいし、広告設備Ａ１０がトレーラ等に設置されていることによる移動式であるならば、移動エリア（例えば、区や町単位など）で示されてもよい。「配信期間」は、スピーカーＬ１２に広告情報に関する音声を出力させる希望期間や日時である。「配信ターゲット」は、広告の対象となるユーザ属性である。
【００３７】
「共有フラグ」は、第２広告主によるスピーカーＬ１２の共有を許可するか否かを示すフラグである。具体的には、第１広告主によって共有が許可されていれば、第１広告配信条件が満たされていないかわりに、第２広告配信条件が満たされている場合に、スピーカーＬ１２は、かかる第２広告主の広告データを出力する。また、第１広告主によって共有が許可されていなければ、スピーカーＬ１２は、いかなる場合であっても第２広告主の広告データは出力しない。
【００３８】
「相乗りフラグ」は、第２広告主によるスピーカーＬ１２の相乗りを許可するか否かを示すフラグである。後に詳述するが、第１広告主によって相乗りが許可されていれば、例えば、第１広告配信条件と第２広告配信条件とが重複している場合であっても、スピーカーＬ１２は、第２広告主の広告データも出力する。
【００３９】
「デコードＮｏ」は、広告情報を識別するための識別番号を示し、スピーカーＬ１２が非可聴な音響信号を出力する場合に、その音響信号に組み込むものである。
【００４０】
「広告データ」は、広告設備Ａ１０に掲載される広告の元データ（画像、動画等）、スピーカーＬ１２により出力される音声データ、ユーザ端末１０によりプッシュ通知されるプッシュ情報（テキスト、サムネイル、ＵＲＬ等）といった各種広告データを示す。
【００４１】
すなわち、図４では、例えば、広告主ＩＤ「Ｍ００１」によって識別される第１広告主「○○自動車」は、「新車発売」に関する広告を、場所Ｐ１に設置されているパネル（以下、パネルＰ１とする）へ掲載するよう指定すると共に、広告データを「配信期間：５月１日〜５月３１日、全時間」、「配信ターゲット：３０歳以上、男性、車・不動産に興味あり」に基づいて、パネルＰ１に搭載されるスピーカーから出力するよう指定し、さらに、第２広告主によるスピーカーの共有を許可していることを示す。なお、第１広告情報記憶部１２２に記憶される情報は、図４に示した例に限られない。
【００４２】
第２広告情報記憶部１２３は、広告情報として第２広告配信条件及び第２広告データを記憶する。ここで、図５に、実施形態にかかる第２広告情報記憶部１２３の一例を示す。図５に示した例では、第２広告情報記憶部１２３は、第２広告配信条件として、「広告主名／広告主ＩＤ」、「広告設備」、「配信期間」、「配信ターゲット」を、第２広告データとして、「デコードＮｏ」、「広告データ」といった項目を有する。
【００４３】
ここで、各項目は、基本的には図４で示した第１広告情報記憶部１２２に準ずる。なお、広告主名は、第２広告主の名称を示し、広告主ＩＤは、第２広告主端末５１又は第２広告主端末５１のユーザを識別するための識別情報を示す。また、第２広告データとしての「広告データ」は、スピーカーＬ１２から出力される広告データである。
【００４４】
すなわち、図５では、例えば、広告主ＩＤ「Ｍ００５」によって識別される第２広告主「コープＥＥ」は、パネルＰ１に搭載されているスピーカーの共有を希望すると共に、広告データを「配信期間：５月１日〜５月３１日、全時間」、「配信ターゲット：年齢指定なし、女性、興味指定なし」に基づいて、パネルＰ１に搭載されるスピーカーから出力するよう指定していることを示す。
【００４５】
図２に戻って説明を続ける。制御部１３０は、例えば、ＣＰＵ（Central  Processing  Unit）やＭＰＵ（Micro  Processing  Unit）等によって、広告制御装置１００の内部の記憶装置に記憶されている各種プログラム（広告制御プログラムの一例に相当）がＲＡＭを作業領域として実行されることにより実現される。また、制御部１３０は、例えば、ＡＳＩＣ（Application  Specific  Circuit）やＦＰＧＡ（Field  Programmable  Gate  Array）等の集積回路により実現される。
【００４６】
図２に示すように、制御部１３０は、受付部１３１と、取得部１３２と、決定部１３３と、指示部１３４とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００４７】
受付部１３１は、ユーザ端末１０からユーザ情報を受け付け、また、第１広告主端末５０及び第２広告主端末５１から各広告情報を受け付ける。具体的には、受付部１３１は、ユーザ端末１０から年齢、性別等の各種ユーザ属性を含むユーザ情報を受け付け、第１広告主端末５０及び第２広告主端末５１から広告配信条件や広告データを含む広告情報を受け付ける。そして、受付部１３１は、ユーザ端末１０から受け付けたユーザ情報をユーザ情報記憶部１２１に格納し、第１広告主端末５０から受け付けた広告情報を第１広告情報記憶部１２２に格納し、第２広告主端末５１から受け付けた広告情報を第２広告情報記憶部１２３に格納する。
【００４８】
また、受付部１３１は、例えば、第２広告主に対して、広告設備Ａ１０に関する各種情報として設置場所や形態の一覧を提示することにより、第２広告主に広告設備Ａ１０を指定させ、その広告設備Ａ１０に対して、第２広告主から広告配信情報や広告データを入稿させる。
【００４９】
取得部１３２は、ユーザ属性を取得する。具体的には、取得部１３２は、各地のユーザ端末１０からＧＰＳ位置情報とユーザＩＤを取得する。つまり、ユーザ端末１０は、ＧＰＳ受信機能を有しており、位置情報を広告制御装置１００に送信する。これにより、取得部１３２は、位置情報とユーザＩＤを取得する。
【００５０】
そして、取得部１３２は、取得した位置情報に基づいて、広告設備Ａ１０から所定の範囲内であるエリアＥ０１に所在するユーザ端末１０のユーザＩＤに対応するユーザ属性を、ユーザ情報記憶部１２１から取得する。ユーザ属性は、ユーザ端末１０毎に複数存在し、例えば、年齢、性別、関心事等様々な項目がユーザ属性として存在する。
【００５１】
決定部１３３は、取得部１３２によって取得されたユーザ属性が第１広告主の広告配信条件を満たす場合に、第１広告主の広告情報を出力対象として決定し、ユーザ属性が第１広告主の広告配信条件を満たさず、かつ、第１広告主が第２広告主による広告設備の共有を許可していれば、ユーザ属性を満たす広告配信条件に対応する前記第２広告主の広告情報を出力対象として決定する。
【００５２】
具体的には、決定部１３３は、ユーザ属性と配信ターゲットに基づいて、広告情報を決定する場合、取得部１３２によってユーザ属性が取得された場合に、第１広告情報記憶部１２２から第１広告配信条件に含まれる配信ターゲットを取得し、ユーザ属性がかかる配信ターゲットを満たすか否かをマッチング判定する。そして、決定部１３３は、満たすと判定した場合には、かかる第１広告主の広告情報を出力対象として決定する。そして、決定部１３３は、決定した広告情報に関する広告データを第１広告情報記憶部１２２から取得し、指示部１３４へ送信する。
【００５３】
例えば、決定部１３３は、第１広告情報記憶部１２２から第１広告配信条件として、ＡＡ自動車の配信ターゲットである「年齢：３０歳以上、性別：男性、興味：車、不動産」取得したとする。ここで、決定部１３３は、取得部１３２によって取得されたユーザ属性と、配信ターゲットとのマッチングを行う。このときのマッチングは、所定の割合に基づくものであってもよいし、閾値を設定してもよい。例えば、決定部１３３は、マッチング条件に「８割以上」を設定しているとすれば、ユーザ属性を取得したエリアＥ０１内の全人数に対して、「年齢：３０歳以上、性別：男性、興味：車、不動産」を満たす人数が８割以上であれば、ユーザ属性が、配信ターゲットを満たすと判定する。そして、決定部１３３は、ＡＡ自動車の広告情報を出力対象として決定する。そして、決定部１３３は、ＡＡ自動車の広告データを第１広告情報記憶部１２２から取得し、指示部１３４へ送信する。
【００５４】
なお、上述した決定部１３３による処理は、以下に示す処理の前提となる。具体的には、そもそも広告設備Ａ１０及びスピーカーＬ１２は、第１広告主によって利用されている設備であり、このうちスピーカーＬ１２の共有目的で、第２広告主が第２広告情報の入稿を行ってくる。つまり、第２広告主による入稿が受け付けられていない場合には、上記決定処理のみが行われ、第２広告主による入稿が受け付けられている場合には、以下に示す処理に移行する場合がある。以下では、この点について説明する。
【００５５】
決定部１３３は、ユーザ属性が第１広告主の広告配信条件を満たさない場合に、ユーザ属性を満たす広告配信条件に対応する前記第２広告主の広告情報を出力対象として決定する。具体的には、決定部１３３は、ユーザ属性が第１広告主の広告配信条件を満たさないと判定した場合に、第２広告情報記憶部１２３から第２広告配信条件に含まれる配信ターゲットを取得し、ユーザ属性がかかる配信ターゲットを満たすか否かをマッチング判定する。そして、決定部１３３は、満たすと判定した場合には、第１広告主がスピーカーＬ１２の共有を許可していれば、かかる第２広告主の広告情報を出力対象として決定する。そして、決定部１３３は、決定した広告情報に関する広告データを第２広告情報記憶部１２３から取得し、指示部１３４へ送信する。なお、ここで行われるマッチングは、上述した第１配信条件に関するマッチングと同様の処理であってよい。また、後に詳述するが、決定部１３３は、さらに続く処理として、第１広告配信条件と、満たす判定が下された第２広告配信条件とのマッチングを行ってもよい。
【００５６】
図２に戻って説明を続ける。指示部１３４は、決定部１３３から音声データ等の各種広告情報に関するデータを受け付けた場合に、スピーカーＬ１２に対して、かかるデータを出力するよう指示する。具体的には、指示部１３４は、決定部１３３から受け付けた広告データを出力指示として、スピーカーＬ１２へ送信する。
【００５７】
なお、上述してきた各処理部の処理は、他の処理部によって行われてもよい。例えば、ユーザ属性取得に関する処理は、図示しない専用の処理部によって行われてもよいし、共有や相乗りを判定する図示しない専用の処理部が存在してもよい。
【００５８】
〔３．広告制御装置の処理フロー〕
次に、図６を用いて、実施形態にかかる広告制御装置１００による広告制御処理について説明する。図６は、実施形態にかかる広告制御装置１００による広告制御処理手順を示すフローチャートである。
【００５９】
図６に示すように、広告制御装置１００の取得部１３２は、広告制御装置１００の受付部１３１が第１広告情報を受け付けている場合に（ステップＳ１０１；Ｙｅｓ）、各地のユーザ端末１０からＧＰＳ位置情報とユーザＩＤを取得する（ステップＳ１０２）。そして、取得部１３２は、広告設備Ａ１０から所定の範囲内であるエリアＥ０１内に所在するユーザのユーザ属性を、広告制御装置１００のユーザ情報記憶部１２１から取得する（ステップＳ１０３）。次に、決定部１３３は、取得したユーザ属性と、第１広告情報に含まれる第１広告配信条件とのマッチングを行う（ステップＳ１０４）。
【００６０】
決定部１３３は、ステップＳ１０４のマッチングにおいて、取得したユーザ属性が第１広告配信条件の配信ターゲットを満たしている場合には（ステップＳ１０５；Ｙｅｓ）、かかる第１広告主の広告情報を出力対象として決定し、広告制御装置１００の指示部１３４に対して、広告データを送信することで出力指示する（ステップＳ１０６）。一方、第１広告主の広告情報を出力対象として決定した場合であっても、第１広告主によって相乗りが許可されていれば（ステップＳ１０７；Ｙｅｓ）、ステップＳ２０１に移行する。
【００６１】
また、決定部１３３は、ステップＳ１０５でのマッチングにより第１広告配信条件が満たされないと判定した場合にも（ステップＳ１０５；Ｎｏ）、ステップＳ２０１に移行する。
【００６２】
以下では、ステップＳ２０１以降の処理の流れについて説明する。広告制御装置１００の決定部１３３は、受付部１３１が第２広告主から第２広告情報を受け付けている場合に（ステップＳ２０１；Ｙｅｓ）、取得部１３２によって取得されたユーザ属性と、第２広告情報に含まれる第２広告配信条件とのマッチングを行う（ステップＳ２０２）。
【００６３】
決定部１３３は、ステップＳ２０２のマッチングにおいて、取得したユーザ属性が第２広告配信条件の配信ターゲットを満たしている場合に（ステップＳ２０３；Ｙｅｓ）、第１広告主によって共有が許可されていれば（ステップＳ２０４；Ｙｅｓ）、かかる第２広告主の広告情報を出力対象として決定し、広告制御装置１００の指示部１３４に対して、広告データを送信することで出力指示する（ステップＳ２０５）。
【００６４】
〔４．変形例〕
上述した実施例にかかる広告制御装置１００は、上記実施形態以外にも種々の異なる形態にて実施されてよい。そこで、以下では、広告制御装置１００の他の実施例について説明する。
【００６５】
〔４−１．音響信号出力〕
上記実施形態では、スピーカーＬ１２が可聴な音声を出力する例を示した。しかし、スピーカーＬ１２は、非可聴な音響信号を出力してもよい。この点について図７を用いて説明する。
【００６６】
図７は、変形例にかかる音響信号によるプッシュ通知の一例を示す図である。図７では、広告制御装置１００によって広告制御処理が行われ、さらに、スピーカーＬ１２から出力された音響信号に基づいてユーザ端末１０によって広告のプッシュ通知が行われる例を示す。
【００６７】
まず、広告制御装置１００は、図１に示す処理によって既に第１及び第２広告主の広告情報のうち少なくとも何れか一方を出力対象として決定している。ここでは、広告制御装置１００は、第２広告主の広告情報を出力対象として決定しているものとする（ステップＳ１１〜Ｓ１３、ステップＳ２１）。そして、変形例にかかる広告制御処理は、ステップＳ２１に続くものである。
【００６８】
広告制御装置１００は、出力対象として決定された第２広告主の広告情報をスピーカーＬ１２に送信する（ステップＳ３１）。スピーカーＬ１２は、かかる広告情報を組み込んだ音響信号を出力する（ステップＳ３２）。
【００６９】
ここで、ユーザ端末１０は、受信した第２広告情報に含まれる配信ターゲットと、ユーザ端末１０内に記憶されているユーザ情報とのマッチングを行う（ステップＳ３３）。そして、ユーザ端末１０は、ユーザ情報が配信ターゲットとマッチングする場合は、第２広告情報に含まれる広告データをプッシュ通知する（ステップＳ３４）。
【００７０】
なお、スピーカーＬ１２から出力される第２広告情報に含まれる広告データは、例えば、広告のテキストデータやＵＲＬ等であり、これらはエンコードされていてもよい。また、スピーカーＬ１２は、このような広告データを送信するのではなく、例えば、デコードＮｏを送信してもよい。そして、ユーザ端末１０は、かかるデコードＮｏを広告制御装置１００に送信することで、広告制御装置１００からそのデコードＮｏに対応する広告データを取得する。そして、ユーザ端末１０は、取得した広告データをプッシュ通知してもよい。
【００７１】
続いて、図８を用いて、変形例にかかるユーザ端末１０について説明する。ユーザ端末１０には、音響信号を受信した場合に、その音響信号に組み込まれている広告情報や、デコードＮｏ等の識別子を特定し、プッシュ通知を行う専用のアプリケーション（以下、「アプリ」と表記する場合がある）が予めユーザによってインストールされているものとする。
【００７２】
図８は、変形例にかかるユーザ端末１０の構成例を示す図である。図８に示すように、ユーザ端末１０は、通信部１１と、入力部１２と、出力部１３と、ユーザ情報記憶部１４と、アプリ制御部１５とを有する。
【００７３】
通信部１１は、例えば、ＮＩＣ等によって実現される。そして、通信部１１は、ネットワークと有線又は無線で接続される。
【００７４】
入力部１２は、ユーザから各種操作を受け付ける入力装置である。例えば、入力部１２は、キーボードやマウスや操作キー等によって実現される。出力部１３は、各種情報を表示するための表示装置である。例えば、出力部１３は、液晶ディスプレイ等によって実現される。なお、ユーザ端末１０にタッチパネルが採用される場合には、入力部１２と出力部１３とは一体化される。
【００７５】
ユーザ情報記憶部１４は、図３に示すユーザ情報記憶部１２１と同様に、ユーザ端末１０のユーザに関する各種情報を記憶する。具体的には、ユーザ情報記憶部１４は、「ユーザＩＤ」、「氏名」、「住所」、「年齢」、「性別」、「興味」といった項目を有する。
【００７６】
アプリ制御部１５は、例えば、ＣＰＵやＭＰＵ等によって、ユーザ端末１０内部の記憶装置に記憶されている各種プログラム（端末制御プログラムの一例）がＲＡＭを作業領域として実行されることにより実現される。また、アプリ制御部１５は、例えば、ＡＳＩＣやＦＰＧＡ（Field  Programmable  Gate  Array）等の集積回路により実現される。
【００７７】
アプリ制御部１５は、表示制御部１６と、送信部１７と、受信部１８と、判定部１９とを有し、以下に説明する情報処理の機能や作用を実現又は実行する。なお、アプリ制御部１５の内部構成は、図８に示した構成に限られず、後述する情報処理を行う構成であれば他の構成であってもよい。また、アプリ制御部１５が有する各処理部の接続関係は、図８に示した接続関係に限られず、他の接続関係であってもよい。
【００７８】
表示制御部１６は、入力部１２によって受け付けられた各種操作に応じて、出力部１３に各種情報の表示制御を行う。また、表示制御部１６は、例えば、ユーザ情報を入力するためのアプリ専用の入力画面から入力されたユーザ情報をユーザ情報記憶部１４へ格納する。
【００７９】
送信部１７は、アプリ専用の入力画面から入力されたユーザ情報を、表示制御部１６を介して入力部１２から受け付けた場合に、広告制御装置１００へ送信する。
【００８０】
受信部１８は、スピーカーＬ１２から音響信号を受信し、受信した音響信号に組み込まれている広告情報を特定する。そして、受信部１８は、特定した広告情報を判定部１９へ送信する。
【００８１】
判定部１９は、受信部１８から広告情報を受け付けた場合に、受け付けた広告情報に含まれる配信ターゲットと、ユーザ情報記憶部１４に格納されているユーザ属性とのマッチングを行う。そして、判定部１９は、配信ターゲットが満たされている場合に、かかる広告情報の広告データに含まれるプッシュ情報を通知する。なお、広告制御装置１００は、第１及び第２広告主それぞれから受け付ける広告データとして、図４及び図５に示す項目だけでなく、例えば、ＵＲＬやクーポン等を受け付けてもよい。これにより、プッシュ通知表示がユーザによって選択された場合に、広告主は、ユーザを所定のページへ誘導することや、ユーザにクーポン等の報酬を与えることができる。
【００８２】
このように、広告制御装置１００は、出力対象として決定した広告情報を含む非可聴な音響信号を出力するようスピーカーＬ１２に指示する。また、ユーザ端末１０は、かかる音響信号をスピーカーＬ１２から受信した場合に、ユーザ端末１０に記憶されるユーザ属性が、広告情報の配信ターゲットを満たしていれば、その広告情報をプッシュ通知する。これにより、広告制御装置１００とユーザ端末１０とを含む広告配信システムは、配信ターゲットを満たすユーザにピンポイントに広告を提供することができるため、広告効果を高めることができる。
【００８３】
〔４−２．配信期間〕
上述してきた広告制御装置１００の決定部１３３は、ユーザ属性と配信ターゲットに基づいて、マッチングを行い出力対象の広告情報を決定する例を示した。しかし、決定部１３３は、出力日時と配信期間に基づいて、マッチングを行ってもよい。
【００８４】
具体的には、決定部１３３は、広告設備Ａ１０によって広告情報が出力される出力日時が第１広告主の広告配信条件に含まれる配信期間に該当する場合に、第１広告主の広告情報を出力対象として決定し、出力日時が第１広告主の広告配信条件に含まれる配信期間に該当しない場合に、出力日時に該当する広告配信条件に対応する第２広告主の広告情報を出力対象として決定する。
【００８５】
例えば、第１広告配信条件「配信期間：５月１日（９：００〜１３：００）」、第２広告配信条件「配信期間：５月１日（１４：００〜１７：００）」が第１及び第２広告主によって設定されているとする。また、広告制御装置１００は、出力時刻を「毎日（１１：００、１５：００）」と設定しているものとする。ここで、決定部１３３は、５月１日の１１：００には、第１広告主の広告情報を出力するようスピーカーＬ１２に対して指示し、５月１日の１５：００には、第２広告主の広告情報を出力するようスピーカーＬ１２に対して指示する。なお、出力日時は、広告制御装置１００によって任意に設定されるものであってよい。例えば、日時が設定されてもよいし、５分間隔といったように時間間隔で設定されてもよい。
【００８６】
なお、決定部１３３は、ユーザ属性と配信ターゲットに基づくマッチング及び、出力日時と配信期間に基づくマッチングの両方を行ってもよい。つまり、広告主から広告配信条件として、配信期間と配信ターゲットの両方を受け付けている場合や、広告制御装置１００によって、両方のマッチングを行う設定がなされている場合である。例えば、決定部１３３は、第１広告配信条件の配信ターゲットが満たされ、かつ、配信期間が満たされていれば、第１広告主の広告情報を出力対象として決定し、どちらか一方でも満たされていなければ、第２広告配信条件へのマッチングに移行することになる。
【００８７】
〔４−３．第１広告配信条件と第２広告配信条件とのマッチング〕
また、上述してきた決定部１３３は、第１広告主の広告配信条件を満たす場合に、第１広告主の広告情報を出力対象として決定し、第１広告主の広告配信条件を満たさず、かつ、第２広告主の広告配信条件を満たす場合に、第２広告主の広告情報を出力対象として決定する例を示した。しかし、決定部１３３は、第２広告主の広告情報を出力対象として決定した場合、その第２広告主の広告情報と、第１広告主の広告情報とのマッチングを、さらに行ってもよい。
【００８８】
具体的には、決定部１３３は、ユーザ属性が第１広告主の広告配信条件を満たさない場合に、第１広告主の広告配信条件と、第２広告主の広告配信条件とを比較し、第２広告主の広告配信条件に含まれる配信ターゲットが、第１広告主の広告配信条件に含まれる配信ターゲットと重複しない場合に、前記第２広告主の広告情報を出力対象として決定する。なお、広告配信条件として、配信ターゲットに加えて、配信期間も広告主によって設定されている場合には、それぞれについて重複を判定する。この点について、図９を用いて説明する。
【００８９】
図９は、変形例にかかる第１広告配信条件と第２広告配信条件とのマッチングの一例を示す図である。図９では、Ａ〜Ｃのマッチング例を示す。まず、図９（Ａ）では、ＡＡ自動車によって利用されている広告設備Ａ１０のスピーカーＬ１２に対して、コープＥＥが共有目的で第２広告配信条件を入稿しており、さらに、決定部１３３のユーザ属性と、第２広告配信条件とのマッチングにより、コープＥＥの広告情報が出力対象となっている状態である。ここで、決定部１３３は、ＡＡ自動車の第１広告配信条件と、コープＥＥの第２広告配信条件とのマッチングを行う。
【００９０】
図９（Ａ）では、配信期間が重複するが、配信ターゲットが重複していない。具体的には、それぞれの配信ターゲットを比較すると、男性と女性で重複していない。また、現在日時が５月１５日だとすると、第１及び第２広告主の双方の広告情報が出力対象となるが、ユーザ属性が第１広告配信条件を満たさず、第２広告配信条件を満たしているので、決定部１３３は、第２広告主であるコープＥＥの広告情報を出力対象として決定する。
【００９１】
続いて、図９（Ｂ）では、ＢＢ自動車によって利用されている広告設備Ａ１０のスピーカーＬ１２に対して、ＦＦタウンが共有目的で第２広告配信条件を入稿しており、さらに、決定部１３３のユーザ属性及び出力日時と、第２広告配信条件とのマッチングにより、ＦＦタウンの広告情報が出力対象となっている状態である。ここで、決定部１３３は、ＢＢ自動車の第１広告配信条件と、ＦＦタウンの第２広告配信条件とのマッチングを行う。
【００９２】
図９（Ｂ）では、配信日及び配信ターゲットが重複するが、配信時間が異なる。具体的には、ＢＢ自動車の「配信日：４月１５日〜４月２１日」に、ＦＦタウンの「配信日：４月１６日〜４月１９日」が含まれており、また、ＦＦタウンの「配信ターゲット：全項目Ａｌｌ」であることからＢＢ自動車の配信ターゲットも含んでいる。また、第１広告主であるＢＢ自動車は、スピーカーの共有を許可している。ここで、決定部１３３は、ＢＢ自動車の「配信時間：１７：００−２１：００」と異なる配信時間において出力日時を含み、かつ、配信ターゲットを満たしている第２広告配信条件を有する第２広告主、つまり、ＦＦタウンの広告情報を出力対象として決定する。
【００９３】
さらに、図９（Ｃ）では、ＣＣミュージックによって利用されている広告設備Ａ１０であるトレーラのスピーカーＬ１２に対して、ＧＧ屋渋谷店が共有目的で第２広告配信条件を入稿しており、さらに、決定部１３３のユーザ属性と、第２広告配信条件とのマッチングにより、ＧＧ屋渋谷店の第２広告情報が出力対象となっている状態である。ここで、決定部１３３は、ＣＣミュージックの第１広告配信条件と、ＧＧ屋渋谷店の第２広告配信条件とのマッチングを行う。
【００９４】
図９（Ｃ）では、第１広告主であるＣＣミュージックがスピーカーＬ１２の相乗りを許可している。図９（Ａ）及び（Ｂ）では、第１広告主がスピーカーＬ１２の共有を許可している場合には、第１広告配信条件と重複しない第２広告主の広告情報を出力対象として決定する例を示している。しかし、相乗りが許可されていれば、決定部１３３は、第１広告主の広告配信条件と、第２広告主の広告配信条件とが重複する場合に、第１広告主の広告情報と、第２広告主の広告情報の双方を出力対象として決定する。そして、指示部１３４は、決定された第１広告主の広告情報と、第２広告主の広告情報の双方を同時に、又は、所定のタイミング毎に出力するよう指示する。
【００９５】
ここで、決定部１３３は、ＣＣミュージックの第１広告配信条件と、ＧＧ屋渋谷店の第２広告配信条件とのマッチングを行う。配信期間では完全に重複し、配信ターゲットでも部分的に重複していることがわかる。例えば、エリアＥ０１内に「２５歳、女性、興味指定なし」といったユーザ属性を有するユーザが所在しているとすると、第１及び第２広告配信条件の双方が該当する。ここで、ＣＣミュージックは、スピーカーＬ１２の相乗りを許可しているとすると、決定部１３３は、同一配信期間内でもＣＣミュージックとＧＧ屋渋谷店の両方の広告情報を出力対象として決定することができる。この場合、それぞれの広告を交互に出力させることが考えられる。また、決定部１３３は、スピーカーＬ１２に広告情報を音響信号として出力指示する場合には、スピーカーＬ１２は、別波長の音響信号を多重化することで、第１及び第２の広告情報に関する広告データを同時に出力させてもよい。
【００９６】
また、決定部１３３は、第１広告配信条件と第２広告配信条件とのマッチングを行うことで、例えば、第１広告主にとって不利となるような、第２広告主の広告情報は、出力対象としないといった判定を行うことができる。例えば、決定部１３３は、マッチングにより、第２広告主が、第１広告主のライバル会社であると判定した場合には、第２広告主の広告情報を出力対象から除外することができる。また、第１広告配信条件に含まれる配信ターゲットと、第２広告配信条件に含まれる配信ターゲットとにおいて、例えば、性別が異なっていたとしても、興味タグにおいて一致していたとする。例えば、「興味タグ：ファッション」で一致していたとすると、決定部１３３は、第１広告主と第２広告主は、同業者であると判定し、第２広告主の広告情報を出力対象から除外してもよい。なお、かかる処理は、必ずしも第１広告配信条件と第２広告配信条件とのマッチングによって行われる必要はなく、例えば、受付部１３１が第２広告情報を受け付けた時点で行ってもよい。
【００９７】
〔４−４．ユーザ端末による広告決定〕
また、上記決定部１３３による広告選択ロジックは、ユーザ端末１０に組み込まれていてもよい。これにより、例えば、地下環境など電波の悪い場所であっても、ユーザ端末１０がローカルで処理することにより、広告情報を出力することができる。
【００９８】
〔４−５．共有権、相乗り権の販売（１）〕
上述してきた実施形態にかかる広告制御装置１００は、共有権、相乗り権を販売してもよい。つまり、広告制御装置１００の受付部１３１は、第２広告主から広告配信条件等と共に、入札を受け付ける。これにより、決定部１３３は、例えば、複数の第２広告データを出力広告として決定した場合には、最も高い入札がされている第２広告データを出力指示してもよいし、入札額順に配信時間を割り振り、順に出力していくよう指示してもよい。また、広告制御装置１００は、共有や相乗りを許可した第１広告主に対して、売り上げの一部を報酬として与えてもよい。
【００９９】
〔４−６．共有権、相乗り権の販売（２）〕
また、受付部１３１は、第２広告主の広告配信条件と重複しない第１広告主に対応する条件を第２広告主に提示し、第２広告主から広告配信条件と広告情報とを含む入札情報を受け付けてもよい。例えば、受付部１３１は、第１広告主から配信期間として、「５月１日（９：００〜１３：００）」を受け付けている場合には、残りの時間帯を第２広告主に提示することで、空き時間を購入可能としてもよい。
【０１００】
〔４−７．広告効果分析〕
上述してきた実施形態にかかる広告制御装置１００は、ユーザ端末１０がプッシュ通知を表示した回数や、プッシュされた広告がクリックされた回数を収集することで、ＣＴＲ等を算出し、広告効果を広告主にレポートしてもよい。
【０１０１】
〔４−８．システムの構成〕
上記実施形態では、広告制御装置１００は、広告設備Ａ１０の外部に存在するものとして説明したが、広告設備Ａ１０と一体化されていてもよい。
【０１０２】
〔４―９．プログラム〕
また、上述してきた各実施形態にかかる広告制御装置１００は、例えば図１１に示すような構成のコンピュータ１０００によって実現される。以下、広告制御装置１００を例に挙げて説明する。図１１は、広告制御装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１０３】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１０４】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１０５】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１０６】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１０７】
例えば、コンピュータ１０００が実施形態にかかる広告制御装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１０８】
〔４−１０．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１０９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１０】
また、上述してきた各実施形態は、処理内容を矛盾させない範囲で適宜組み合わせることが可能である。
【０１１１】
〔５．効果〕
上述してきたように、実施形態にかかる広告制御装置１００は、決定部１３３と、指示部１３４とを有する。決定部１３３は、第１広告主の広告配信条件と、第１広告主によって利用される広告設備の共有を希望する第２広告主の広告配信条件とに基づいて、出力対象の広告情報を決定する。指示部１３４は、決定部１３３により決定された広告情報を音波として出力するよう広告設備に指示する。
【０１１２】
これにより、実施形態にかかる広告制御装置１００は、第１広告主がスピーカーＬ１２の共有を許可していれば、スピーカーＬ１２から第１広告主の広告データを出力させていない場合に、第２広告主の広告データを出力させることができる。すなわち、広告制御装置１００は、スピーカーＬ１２に対して、出力を行っていない期間を減らすことができるため広告設備Ａ１０の利用効率を高めることができる。また、広告制御装置１００によって第２広告主の広告情報に関する広告データが出力指示された場合には、スピーカーＬ１２は、掲載している広告コンテンツＣ１１と関連しない音声を出力することになり、同時に種類の異なる複数の広告をユーザに提供できるため、広告制御装置１００は、広告設備Ａ１０の利用効率を高めることができる。
【０１１３】
また、実施形態にかかる指示部１３４は、音波として可聴な音声を出力するよう指示する。
【０１１４】
このように、実施形態にかかる広告制御装置１００は、広告を可聴な音声で配信することができる。これにより、広告制御装置１００は、広告設備Ａ１０周辺のユーザに対して、一方的に広告の内容を聞かせることができ、広告設備Ａ１０に掲載されている広告コンテンツＣ１１へ着目させることができる。これにより、広告制御装置１００は、広告効果を高めることができる。
【０１１５】
また、実施形態にかかる指示部１３４は、音波として、決定部１３３により決定された広告情報に関する情報を含む非可聴な音響信号を出力するよう指示する。
【０１１６】
このように、実施形態にかかる広告制御装置１００は、広告を非可聴な音響信号で配信することができる。これにより、広告制御装置１００は、ユーザ端末１０に直接広告を提供することができる。
【０１１７】
また、実施形態にかかる決定部１３３は、第１広告主の広告配信条件を満たす場合に、第１広告主の広告情報を出力対象として決定し、第１広告主の広告配信条件を満たさず、かつ、第１広告主が前記第２広告主による広告設備の共有を許可する場合に、第２広告主の広告配信条件を満たすか否か判定する。
【０１１８】
このように、実施形態にかかる広告制御装置１００は、第１広告主の広告配信条件が満たされず、第１広告主の広告データをスピーカーＬ１２に出力させていない場合に、第２広告主の広告配信条件が満たされていれば、第２広告主の広告情報に関する広告データをスピーカーＬ１２に出力させることができるので、スピーカーＬ１２が広告データを出力しない空きの時間を減らすことができる。これにより、広告制御装置１００は、広告設備Ａ１０の利用効率を高めることができる。また、広告制御装置１００によって第２広告主の広告情報が出力された場合には、スピーカーＬ１２は、掲載している広告コンテンツＣ１１と関連しない広告データを出力することになり、同時に種類の異なる複数の広告をユーザに提供できるため、広告制御装置１００は、広告設備Ａ１０の利用効率を高めることができる。
【０１１９】
また、実施形態にかかる決定部１３３は、広告設備Ａ１０から所定の範囲内に所在するユーザのユーザ属性が、第１広告主の広告配信条件を満たす場合に、第１広告主の広告情報を出力対象として決定し、ユーザ属性が第１広告主の広告配信条件を満たさない場合に、ユーザ属性を満たす第２広告主の広告配信条件に対応する第２広告主の広告情報を出力対象の広告情報として決定する。
【０１２０】
このように、実施形態にかかる広告制御装置１００は、ユーザ属性が広告配信条件を満たす場合に、かかる広告配信条件に対応する広告情報を出力対象として決定することができる。これにより、広告制御装置１００は、広告の対象となるユーザに対して、ピンポイントに広告を提供したり、広告設備Ａ１０周辺に広告情報が対象とするユーザがより多く集まっている状態で広告データを出力させることができるので、広告効果を高めることができる。また、広告制御装置１００は、第１広告主の広告配信条件が満たされず、第１広告主の広告データをスピーカーＬ１２に出力させていない場合に、第２広告主の広告配信条件が満たされていれば、第２広告主の広告情報に関する広告データをスピーカーＬ１２に出力させることができるので、スピーカーＬ１２が広告データを出力していない空き時間を減らすことができる。これにより、広告制御装置１００は、広告設備Ａ１０の利用効率を高めることができる。
【０１２１】
また、実施形態にかかる決定部１３３は、ユーザ属性が第１広告主の広告配信条件を満たさない場合に、第１広告主の広告配信条件と、第２広告主の広告配信条件とを比較し、第２広告主の広告配信条件に含まれる配信ターゲットが、第１広告主の広告配信条件に含まれる配信ターゲットと重複しない場合に、第２広告主の広告情報を出力対象として決定する。
【０１２２】
このように、実施形態にかかる広告制御装置１００は、例えば、第２広告主の配信ターゲットとして業種等が判定できる要素が含まれている場合、かかる業種が第１広告主と同業種であれば、第２広告主の広告情報を出力対象から除外することができる。このように、広告制御装置１００は、第１広告主と第２広告主との関連性に基づいて、第２広告主の広告を配信するか否かを決定することができる。
【０１２３】
また、実施形態にかかる決定部１３３は、広告設備によって広告情報が出力される出力日時が前記第１広告主の広告配信条件に含まれる配信期間に該当する場合に、第１広告主の広告情報を出力対象として決定し、出力日時が第１広告主の広告配信条件に含まれる配信期間に該当しない場合に、出力日時に該当する広告配信条件に対応する前記第２広告主の広告情報を出力対象として決定する。
【０１２４】
このように、実施形態にかかる広告制御装置１００は、第１広告主の広告データをスピーカーＬ１２に出力させていない空き時間に、第２広告主の広告データを出力させることができる。これにより、広告制御装置１００は、スピーカーＬ１２が広告を出力していない空き時間を減らすことができるため、広告設備Ａ１０の利用効率を高めることができる。
【０１２５】
また、実施形態にかかる決定部１３３は、第１広告主が第２広告主による広告設備への相乗りを許可し、かつ、ユーザ属性が第１広告主の広告配信条件及び第２広告主の広告配信条件を満たす場合に、第１広告主の広告情報と第２広告主の広告情報との双方を出力対象として決定する。
【０１２６】
このように、実施形態にかかる広告制御装置１００は、第１広告主が第２広告主による広告設備Ａ１０への相乗りを許可していれば、第１広告主の広告配信条件と、第２広告主の広告配信条件とが同時に満たされる場合であっても、第２広告主の広告も配信することができる。これにより、広告制御装置１００は、より多くの種類の異なる広告データを
スピーカーＬ１２に出力させることができるので、第２広告主の広告データをスピーカーＬ１２に出力させる機会を増やすことができる。
【０１２７】
また、実施形態にかかる決定部１３３は、第１広告主が広告設備Ａ１０の共有を許可している場合に、第２広告主の広告を決定する。
【０１２８】
このように、実施形態にかかる広告制御装置１００は、スピーカーＬ１２に対して第２広告主の広告も出力させることができる。これにより、広告制御装置１００は、スピーカーＬ１２の利用効率を高めることができる。
【０１２９】
また、実施形態にかかる受付部１３１は、第２広告主の広告配信条件と重複しない第１広告主に対応する条件を第２広告主に提示し、第２広告主から広告配信条件と広告情報とを含む入札情報を受け付ける。
【０１３０】
このように、実施形態にかかる広告制御装置１００は、スピーカーＬ１２に第１広告主の広告データ出力させていない空き時間を販売することができる。これにより、広告制御装置１００は、広告設備Ａ１０の利用効率を高めることができる。また、広告制御装置１００は、広告設備Ａ１０の本来の利用者でない第２広告主に対しても、広告情報を配信できる機会を与えることができ、また、より多くの広告料を得ることができる。
【０１３１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１３２】
また、上述してきた「部（section、module、unit）」は、「手段」や「回路」などに読み替えることができる。例えば、決定部は、決定手段や決定回路に読み替えることができる。
【符号の説明】
【０１３３】
１０  ユーザ端末
１４  ユーザ情報記憶部
１５  アプリ制御部
１７  送信部
１８  受信部
１９  判定部
５０  第１広告主端末
５１  第２広告主端末
１００  広告制御装置
１２１  ユーザ情報記憶部
１２２  第１広告情報記憶部
１２３  第２広告情報記憶部
１３０  広告制御装置
１３１  受付部
１３２  取得部
１３３  決定部
１３４  指示部
【図１】
0006310795.tif 000002
【図２】
0006310795.tif 000003
【図３】
0006310795.tif 000004
【図４】
0006310795.tif 000005
【図５】
0006310795.tif 000006
【図６】
0006310795.tif 000007
【図７】
0006310795.tif 000008
【図８】
0006310795.tif 000009
【図９】
0006310795.tif 000010
【図１０】
0006310795.tif 000011